(57)【特許請求の範囲】
【請求項１】
複数のパイプが接続される継手軸を有する継手本体と、
短尺棒状に形成され、一端側に前記パイプが接続される回動部材と、
を有し、
前記回動部材の他端側は前記継手本体とともに、平板状部が二股状部に挟み込まれるようにして前記パイプが屈折可能とされる屈折部が形成され、
前記屈折部の外周には、軸心方向の移動は規制され、軸心回りは回動自在とされる筒状のカバー部材が設けられ、
前記カバー部材は、周壁が前記平板状部又は前記二股状部と当接することにより前記屈折部の屈折を規制する規制壁部と、前記周壁が前記平板状部又は前記二股状部と当接しないよう切り欠き形成されて前記屈折部の屈折を解除する切欠部を備え、
前記カバー部材は、内周面から突出する突起部が形成され、
前記屈折部は、前記突起部と摺動自在に係合されるガイド溝が軸心周方向に形成されることを特徴とするジャングルジム用継手。
【請求項２】
前記ガイド溝は、前記突起部と当接される回動規制部が設けられることを特徴とする請求項１に記載のジャングルジム用継手。
【請求項３】
前記ガイド溝は、前記回動部材に凹溝状に形成されることを特徴とする請求項２に記載のジャングルジム用継手。
【請求項４】
前記平板状部は前記継手本体に形成され、前記二股状部は前記回動部材に形成されることを特徴とする請求項１乃至請求項３の何れか記載のジャングルジム用継手。
【請求項５】
前記平板状部の突端部は、平面視凸円弧状に形成されるとともに前記突端部から突出される回動規制突起が設けられ、
前記平板状部の前記突端部と対向する前記二股状部の二股間における面は、前記平板状部の前記突端部に倣って平面視凹円弧状に形成されるとともに前記回動規制突起に当接される当接部が設けられることを特徴とする請求項４に記載のジャングルジム用継手。
【請求項６】
前記カバー部材は、内周面に凸状又は凹状に形成される回動係合部を有し、
前記回動部材又は前記継手本体には、一方に前記屈折部の屈折を規制する状態で前記回動係合部と係合する規制時係合部と、他方に前記屈折部の屈折を解除する状態で前記回動係合部と係合する解除時係合部と、が形成されることを特徴とする請求項１乃至請求項５の何れか記載のジャングルジム用継手。
【発明の詳細な説明】
【技術分野】
【０００１】
本発明は、幼児が屋内で遊ぶことができるジャングルジムであって、収納時には折り畳むことができるジャングルジムに用いられるジャングルジム用継手に関する。
【背景技術】
【０００２】
従来から、幼児が屋内で遊ぶことのできるジャングルジムが提案されている。このような屋内用ジャングルジムは、複数の立方体枠が組み合わされることにより、公園等の屋外に設置されるジャングルジムと同様の遊びを屋内で行うことができるので、幼児は夢中になって遊ぶことのできる遊具とされている。
【０００３】
このような屋内用ジャングルジムは、大型に形成される傾向がある。このため、使用しない場合にはコンパクトに収納できるように、パイプが接続される継手として、パイプが屈折される屈折部を設けたものが用いられている。そして、この屈折部は、ジャングルジムを使用する場合には、パイプが不意に屈折してしまわないようにロック機構が備えられている。例えば、特許文献１における折り畳み式ジャングルジムの継手ユニットは、固定パイプ継手と回動パイプ継手の枢支連結部に進退操作自在に回動阻止用カバースリーブが設けられている。そして、パイプが接続される回動パイプ継手にロックピンを設けて、回動阻止用カバースリーブにはロックピン受け入れ孔が設けられている。
【０００４】
このジャングルジムを使用する場合には、枢支連結部に回動阻止用カバースリーブを套嵌させる。すると、回動阻止用カバースリーブと回動パイプ継手とが当接し、枢支連結部におけるパイプの屈折が阻止される。また同時に、回動パイプ継手のロックピンが回動阻止用カバースリーブのロックピン受け入れ孔に嵌まり込み、回動阻止用カバースリーブの軸心回りの回動が防止される。また、このジャングルジムを折り畳む場合には、ロックピンを押し込んでロックピンをロックピン受け入れ孔から外す。すると、回動阻止用カバースリーブはパイプに沿って回動パイプ継手から離間させることができる。
【先行技術文献】
【特許文献】
【０００５】
【特許文献１】実用新案登録第３１０２０７４号公報
【発明の概要】
【発明が解決しようとする課題】
【０００６】
上記のジャングルジム用継手においては、回動阻止用カバースリーブを枢支連結部とされるパイプの屈折部に対して進退操作してパイプの屈折（すなわちジャングルジムの折り畳み）の規制及び解除を行う。このとき、回動阻止用カバースリーブは、パイプに沿って進退されるため、操作のためのストロークが長くなることがあり、その分時間がかかる場合がある。従って、多数設けられる回動阻止用カバースリーブを全て嵌脱させる操作は、煩雑となってしまうことがあった。
【０００７】
本発明の目的は、ジャングルジムを折り畳むための屈折部におけるパイプ屈折動作の規制及び解除操作が容易なジャングルジム用継手を提供する。
【課題を解決するための手段】
【０００８】
本発明に係るジャングルジム用継手は、複数のパイプが接続される継手軸を有する継手本体と、短尺棒状に形成され、一端側に前記パイプが接続される回動部材と、を有し、前記回動部材の他端側は前記継手本体とともに、平板状部が二股状部に挟み込まれるようにして前記パイプが屈折可能とされる屈折部が形成され、前記屈折部の外周には、軸心方向の移動は規制され、軸心回りは回動自在とされる筒状のカバー部材が設けられ、前記カバー部材は、周壁が前記平板状部又は前記二股状部と当接することにより前記屈折部の屈折を規制する規制壁部と、前記周壁が前記平板状部又は前記二股状部と当接しないよう切り欠き形成されて前記屈折部の屈折を解除する切欠部を備える。
【０００９】
更に、前記カバー部材は、内周面から突出する突起部が形成され、前記屈折部は、前記突起部と摺動自在に係合されるガイド溝が軸心周方向に形成される。
【００１０】
また、前記ガイド溝は、前記突起部と当接される回動規制部が設けられる。
【００１１】
また、前記ガイド溝は、前記回動部材に凹溝状に形成される。
【００１２】
また、前記平板状部は前記継手本体に形成され、前記二股状部は前記回動部材に形成される。
【００１３】
また、前記平板状部の突端部は、平面視凸円弧状に形成されるとともに前記突端部から突出される回動規制突起が設けられ、前記平板状部の突端部と対向する前記二股状部の二股間における面は、前記平板状部の突端部に倣って平面視凹円弧状に形成されるとともに前記回動規制突起に当接される当接部が設けられる。
【００１４】
また、前記カバー部材は、内周面に凸状又は凹状に形成される回動係合部を有し、前記回動部材又は前記継手本体には、一方に前記屈折部の屈折を規制する状態で前記回動係合部と係合する規制時係合部と、他方に前記屈折部の屈折を解除する状態で前記回動係合部と係合する解除時係合部と、が形成される。
【発明の効果】
【００１５】
本発明に係るジャングルジム用継手によれば、カバー部材をパイプの軸心回りに回動させることにより、ジャングルジムを折り畳むための屈折部の屈折の解除や、ジャングルジムを使用する際の規制（ロック）を行うことができる。従って、操作のためのストロークが短く済むため、短時間で屈折部のロックと解除の操作を行うことができる。
【００１６】
更に、カバー部材の内面には突起を設けて、屈折部には、回動部材又はパイプと回動部材とを組み合わせる等して、この突起をガイドするガイド溝を形成する。これにより、カバー部材を回動させる構成を簡単に形成することができる。
【００１７】
また、ガイド溝には、突起部と当接される回動規制部が設けられることにより、カバー部材の回しすぎを防止することができる。
【００１８】
また、回動部材にガイド溝を設ければ、パイプを回動部材から取り外した場合においてもカバー部材を回動部材に取り付けたままにできるので、パイプを外して収納する際にカバー部材を紛失してしまうことが低減される。
【００１９】
また、屈折部の構成を、継手本体に平板状部を形成し、回動部材に二股状部を形成することにより、カバー部材の切欠部を平板状部の厚みに合わせて形成することができる。従って、カバー部材の規制壁部となる周壁を多く確保することができ、より剛性の高いカバー部材を形成することができる。
【００２０】
また、回動部材と継手本体との屈折する角度範囲は、回動部材に設けられた当接部が継手本体に設けられた回動規制突起に当接することで規制されるので、例えばパイプの屈折動作を９０度としたい場合には、確実に当該屈折運動を規制することができる。
【００２１】
また、カバー部材に回動係合部を設け、回動部材又は継手本体には規制時係合部と解除時係合部を設けることができる。これにより、屈折部の解除状態及び規制状態の切り替え時にクリック感を得ることができるので、カバー部材の回動操作をより確実に行うことができる。
【図面の簡単な説明】
【００２２】
【図１】本発明の実施形態に係るジャングルジムの斜視図である。
【図２】本発明の実施形態に係るジャングルジム用継手及び接続されるパイプを示す斜視図である。
【図３】本発明の実施形態に係るジャングルジム用継手及び接続されるパイプを示す分解斜視図である。
【図４】本発明の実施形態に係る継手本体を示す斜視図である。
【図５】本発明の実施形態に係る回動部材を示し、（ａ）は上方から見た斜視図であり、（ｂ）は下方から見た斜視図である。
【図６】本発明の実施形態に係るカバー部材を示し、（ａ）は正面図であり、（ｂ）は斜視図である。
【図７】本発明の実施形態に係るジャングルジム用継手及び接続されるパイプを示すｘ−ｙ平面における要部横断面図である。
【図８】本発明の実施形態に係るジャングルジム用継手及び接続されるパイプを示し、（ａ）はカバー部材を回動させた状態を示す要部拡大図であり、（ｂ）はパイプを屈折させた状態を示す要部拡大図である。
【図９】本発明の実施形態に係るジャングルジム用継手及び接続されるパイプを示し、屈折された状態を示す上面図である。
【図１０】本発明の実施形態に係るジャングルジムが折り畳まれた状態を示す斜視図である。
【図１１】本発明の実施形態に係るジャングルジムの上面図を示し、（ａ）は使用状態（展開状態）であり、（ｂ）は収納状態（折り畳まれた状態）である。
【図１２】本発明の実施形態に係るジャングルジムの使用例を示す斜視図である。
【発明を実施するための形態】
【００２３】
以下、図に基づいて本発明の実施形態を説明する。本実施形態におけるジャングルジム１０は、主に屋内に設置するジャングルジムの遊具であり、収納時には折り畳むことができるように形成されたものである。従って、図１は、ジャングルジム１０を展開して使用する場合の状態を示す図である。なお、以下の説明においては、ジャングルジム１０の正面側（ｘ軸方向のプラス方向）を前とし、背面側（ｘ軸方向のマイナス方向）を後として説明する。そして、ジャングルジム１０を正面から見て左側（ｙ軸方向のマイナス方向）を左とし、右側（ｙ軸方向のプラス方向）を右として説明する。さらに、ジャングルジム１０の上方（ｚ軸方向のプラス方向）を上とし、下方（ｚ軸方向のマイナス方向）を下として説明する。
【００２４】
図１に示すように、ジャングルジム１０は、互いに垂直なｘ軸、ｙ軸、ｚ軸の各方向に向けて、それぞれ複数の円筒形状のパイプ（１０１〜１１０等）が複数のジャングルジム用継手（３０Ａ〜３０Ｈ等）に接続されている。
【００２５】
このジャングルジム１０は、多数個の立方体枠を組み合わせて形成されている。最下段には、３個の立方体枠からなるベース枠群１００と、付加ベース枠６００が設けられている。そして、ベース枠群１００の上側には、高さを立方体枠の約２分の１とされる３個の半立方体枠からなるハーフ枠群２００が接続されている。さらに、このハーフ枠群２００の中央の半立方体枠の上側には、１個の半立方体枠からなる上側ハーフ枠３００が接続されている。そして、この上側ハーフ枠３００の上側には、立方体枠とされるトップ枠４００が接続されている。
【００２６】
なお、ｘ，ｙ，ｚ軸の各軸を９０度の角度を有して形成されるジャングルジム用継手（３０Ａ等）のうち、同じ符号のジャングルジム用継手は共通部品として形成されるものである。これらのジャングルジム用継手は、その使用される箇所により、三〜六方分岐として形成される。
【００２７】
ジャングルジム１０は、最下段をベース枠群１００として、３つの立方体枠がｙ軸方向に連続して形成されている。具体的には、ベース枠群１００の中央の立方体枠は、ｘ軸方向に４本のパイプ１０２，１０３，２０２，２０３を有し、ｙ軸方向に４本のパイプ１０６，１０９，２０６，２０９を有し、ｚ軸方向に４本のパイプ１３２，１３３，１３６，１３７を有する。そして、これらのパイプが、ジャングルジム用継手３０Ｂ，３０Ｃ，３０Ｆ（２個），３０Ｊ（３個），３０Ｌと接続されている。
【００２８】
そして、ベース枠群１００の中央の立方体枠には、ｙ軸方向左右両側に立方体枠が連続して接続される。なお、ベース枠群１００の中央の立方体枠におけるｘ軸方向のパイプ１０２，２０２及びパイプ１０３，２０３とｚ軸方向のパイプ１３２，１３６及びパイプ１３３，１３７と、これらのパイプと接続されるジャングルジム用継手（３０Ｂ等）は、それぞれ左右の立方体枠と共通の構成部品とされている。
【００２９】
さらに、ベース枠群１００の上側には、ベース枠群１００の立方体枠よりもｚ軸方向の高さを約半分とした３つの半立方体枠がｙ軸方向に連続して形成されるハーフ枠群２００がベース枠群１００と連続して接続されている。例えば、ハーフ枠群２００の中央の半立方体枠は、ｘ軸方向に４本のパイプ２０２，２０３，３０２，３０３を有し、ｙ軸方向に４本のパイプ２０６，２０９，３０６，３０９を有し、ｚ軸方向に４本のパイプ２３２，２３３，２３６，２３７を有する。そして、これらのパイプが、７個のジャングルジム用継手３０Ｊと１個のジャングルジム用継手３０Ｌに接続されている。
【００３０】
なお、ハーフ枠群２００の中央の半立方体枠におけるｘ軸方向のパイプ２０２，３０２及びパイプ２０３，３０３とｚ軸方向のパイプ２３２，２３６及びパイプ２３３，２３７と、これらのパイプと接続されるジャングルジム用継手（３０Ｌ等）は、左右の半立方体枠と共通の構成部品とされている。さらに、ハーフ枠群２００の下側の辺に相当するｘ軸及びｙ軸方向のパイプ（２０２，２０６等）と、これらのパイプが接続されるジャングルジム用継手（３０Ｌ等）は、ベース枠群１００の立方体枠とそれぞれ共通の構成部品とされている。
【００３１】
ハーフ枠群２００の中央の半立方体枠の上側には、ハーフ枠群２００の半立方体枠と同様の半立方体枠として形成される上側ハーフ枠３００が接続されている。この上側ハーフ枠３００の半立方体枠においても同様に、下側に隣接するハーフ枠群２００の中央の半立方体枠における上側の辺を構成するパイプ（３０２，３０６等）と、これらのパイプが接続するジャングルジム用継手（３０Ｊ等）が共通の構成部品とされている。
【００３２】
さらに、上側ハーフ枠３００の上側には、立方体枠からなるトップ枠４００が接続されている。トップ枠４００の立方体枠は、ベース枠群１００の立方体枠と同じ寸法で形成されている。トップ枠４００も同様に、下側の辺に相当するｘ軸及びｙ軸方向のパイプ（４０２，４０６等）と、これらのパイプが接続するジャングルジム用継手（３０Ｈ等）が、隣接して接続される上側ハーフ枠３００の上側の辺に相当するパイプ及びジャングルジム用継手と共通の構成部品とされている。
【００３３】
また、ベース枠群１００におけるｙ軸のプラス方向における端部の立方体枠からは、ｘ軸のプラス方向に向けて、立方体枠からなる付加ベース枠６００が接続されている。この付加ベース枠６００の立方体枠は、ベース枠群１００の立方体枠及びトップ枠４００の立方体枠と同じ寸法で形成されている。そして、付加ベース枠６００の後側の辺に相当するパイプ（１０７，１３３等）と、これらのパイプが接続するジャングルジム用継手（３０Ｃ等）は、ベース枠群１００と接続される立方体枠と共通の構成部品とされている。
【００３４】
また、トップ枠４００の後側の辺に相当する部位には、固定部材６０が設けられている。固定部材６０は、その本体部６１の前後に平面部が形成される。本体部６１の外形は、上方が正面視円弧状に形成されて下方が略三角状に広がるようにして形成されている。本体部６１の上方には、ｙ軸方向のパイプ５０９と係合する上側係合部６２が設けられている。同様に、本体部６１の下側には、ｙ軸方向のパイプ４０９と係合する下側係合部６３と、ｚ軸方向の左右のパイプ４３６，４３７と係合する左側係合部６４、右側係合部６５がそれぞれ設けられている。
【００３５】
また、トップ枠４００と上側ハーフ枠３００とで共通の構成部品とされる右後ろ側のジャングルジム用継手３０Ｊ（すなわち、パイプ４０３，４０９，４３７，３３７と接続されるジャングルジム用継手３０Ｊ）からｙ軸のプラス方向及びｚ軸のマイナス方向にずれた位置におけるジャングルジム用継手３０Ｈ（すなわち、パイプ２３８，３０４，３１０と接続されるジャングルジム用継手３０Ｈ）には、両者のジャングルジム用継手３０Ｊ，３０Ｈに渡って湾曲パイプ７０が接続されている。
【００３６】
このように形成されるジャングルジム１０は、ｘ軸方向のパイプ（１０１，１０２等）は全て同じ寸法に形成されている共通部品である。同様に、ｙ軸方向のパイプ（１０５，２０５等）も共通部品とされている。ｚ軸方向のパイプ（１３１，２３１等）は、立方体枠を構成するよう長さの長いパイプ（１３１，４３２等）と、長さの長いパイプの半分の長さで形成されて半立方体枠を構成するパイプ（２３１，３３２等）の２種類のパイプから形成されている。
【００３７】
これらのジャングルジム用継手（３０Ａ等）は、屈折可能なｘ軸方向のパイプ（１０１等）及び固定のｙ軸、ｚ軸方向のパイプ（１０５，１３１）の接続される数が異なるのみで、これらのパイプの接続部分は同じ構造で構成される。従って、以下のジャングルジム用継手の説明は、六方分岐とされるジャングルジム用継手３０Ｌ（換言すれば、ベース枠群１００と付加ベース枠６００とで共通の構成部品とされる上側の六方分岐継手であるジャングルジム用継手３０Ｌ）を例として説明する。
【００３８】
図２に示すように、ジャングルジム用継手３０Ｌには、ｘ軸方向前後のパイプ７０３，２０３が接続されている。同様に、ｙ軸方向左右のパイプ２０６，２０７及びｚ軸方向上下のパイプ２３３，１３３が接続されている。ジャングルジム用継手３０Ｌは、ｘ軸方向のパイプ７０３，２０３が９０度の角度範囲で屈折可能とされるように屈折部３１が形成されている。そして、ｘ軸方向後側のパイプ２０３が接続される側の屈折部３１の外周には、略円筒形状のカバー部材３４が設けられている。カバー部材３４は、当該カバー部材３４の軸心方向の移動は規制されるとともに、当該カバー部材３４の軸心回りには回動自在とされている。このカバー部材３４を回動操作することにより、屈折部３１の屈折を規制したり解除したりすることができる。
【００３９】
図３に示すように、ジャングルジム用継手３０Ｌは、継手本体３２と、ｘ軸方向前後に配置される２つの回動部材３３と、前述のカバー部材３４により構成されている。図４に示すように、継手本体３２は、ｙ軸方向左右及びｚ軸方向上下のそれぞれに、パイプ（２０６等）と接続される継手軸３２ａが基部３２ｂから突出されるようにして設けられている。継手軸３２ａは、略円筒形状に形成されている。継手軸３２ａの外周壁には、継手軸３２ａの軸心に沿って平行な２つの長い切欠部３２ａ１が形成されている。２つの切欠部３２ａ１の間における継手軸３２ａの外周壁には、係止突起３２ａ２が設けられている。そして、２つの切欠部３２ａ１及び係止突起３２ａ２は、１つの継手軸３２ａにおいて対向する反対側の外周壁にもそれぞれ設けられている。
【００４０】
継手本体３２は、全体を樹脂材料の射出成形により形成されている。従って、切欠部３２ａ１の作用により、係止突起３２ａ２を支持する外周壁は弾性力を有する。一方、パイプ（２０６等）の両端部近傍の外周壁には、それぞれ係止突起３２ａ２と係止される係止孔１８０が周方向等間隔で４箇所に設けられている（図２、図３参照）。
【００４１】
従って、パイプ（２０６等）を継手軸３２ａに挿入すると、係止突起３２ａ２は継手軸３２ａの径方向内側に向けて沈み込む。そして、係止孔１８０と係止突起３２ａ２の位置が合せられると、係止突起３２ａ２は弾発されて、係止孔１８０に係止されてパイプ（２０６等）の挿入が完了される。なお、係止突起３２ａ２は、継手軸３２ａの外周面に向けて低くなるように、パイプ（２０６等）が挿入される側が傾斜して形成されている。これにより、パイプ（２０６等）の挿入が容易とされている。
【００４２】
また、対向する継手軸３２ａ同士は、円筒形状部分の内面で形成される孔が互いに貫通されて連通されている。従って、基部３２ｂの内部では、左右のｙ軸方向の継手軸３２ａ及び上下のｚ軸方向の継手軸３２ａそれぞれの円筒形状部分の内面で形成される孔が交差している。
【００４３】
さらに、継手軸３２ａにおける基部３２ｂ側には、継手軸３２ａの円筒形状部分よりも径大に形成される円環部３２ａ３が形成されている。円環部３２ａ３の外周面は、パイプ（２０６等）が挿入されて継手軸３２ａに接続された際、パイプ（２０６等）の外周面と連続した面となるように形成されている。
【００４４】
継手本体３２は、ｘ軸方向である前方向及び後方向に向けて、平板状部３２ｃが基部３２ｂから突出されるようにして形成されている。前方向に突出する平板状部３２ｃと後方向に突出される平板状部３２ｃの形状は同じである。平板状部３２ｃは、平面部を上下に向けた略平板状に形成されている。平板状部３２ｃの上下の平面部には、いわゆる肉盗みのための４個の凹部３２ｃ１がそれぞれ形成されている。
【００４５】
平板状部３２ｃの平面上略中心位置には、それぞれ貫通孔３２ｃ２が設けられている。貫通孔３２ｃ２には、回動部材３３の貫通孔３３ｂ１（図５参照）とともにピン部材が挿通される。従って、回動部材３３は平板状部３２ｃにより回動自在に支持される。
【００４６】
平板状部３２ｃの突端部３２ｃ３は、平面視において凸円弧状に形成されるとともに、凸円弧状の一方の終端部には、平板状部３２ｃの側面と連続した側面を有する回動規制突起３２ｃ４が形成されている。換言すれば、組み立て状態（図７参照）においては、回動規制突起３２ｃ４は、回動部材３３に向けて突出される。なお、前述の通り、平板状部３２ｃは同じ形状とされるので、前側の回動規制突起３２ｃ４は突端部３２ｃ３の右端（ｘ軸方向のプラス方向）に形成され、後側の回動規制突起３２ｃ４は突端部３２ｃ３の左端（ｘ軸方向のマイナス方向）に形成される。
【００４７】
そして、平板状部３２ｃの左右の側面には、それぞれ規制時係合部３２ｃ５とされる凹状の貫通されない係合孔が設けられている。この規制時係合部３２ｃ５は、後述のカバー部材３４における凸状の回動係合部３４ｃと嵌脱自在に係合される。
【００４８】
次に、図５（ａ）及び（ｂ）に基づいて、回動部材３３について説明する。図５（ａ）は回動部材３３を上方から見た斜視図であり、図５（ｂ）は下方から見た斜視図である。回動部材３３は、樹脂材料により射出成形され、短尺棒状に形成されている。回動部材３３の一端側は、パイプ（２０３等）が挿入され接続される円筒形状の継手軸３３ａが形成されている。継手軸３３ａには、円周形状の外周壁に２つの平行な切欠部３３ａ１及び係止突起３３ａ２が設けられている。そして、２つの切欠部３３ａ１及び係止突起３３ａ２は、円筒形状の外周壁に対向して２箇所に形成されている。この継手軸３３ａにパイプ（２０３等）を挿入する際の作用は、前述の継手本体３２における継手軸３２ａと同様である。
【００４９】
回動部材３３の他端側は、二股状部３３ｂが形成されている。二股状部３３ｂの外周面は、縦断面円弧状に形成されている。この二股状部３３ｂの外周面は、パイプ（２０３等）が接続されたときに、パイプ（２０３等）の外周面と略同一面となるように形成されている。二股状部３３ｂの先端部は、平面視において凸円弧状に形成されている。従って、回動部材３３が屈折運動する際に継手本体３２の平板状部３２ｃの基端部との干渉が回避されている。
【００５０】
そして、二股状部３３ｂの外周面における略中央部分には、外周面が座繰り加工された貫通孔３３ｂ１が設けられている。継手本体３２の平板状部３２ｃ（図４参照）と二股状部３３ｂとの連結は、二股状部３３ｂの間に平板状部３２ｃが挟み込まれるようにされて、前述の通り、貫通孔３３ｂ１と平板状部３２ｃの貫通孔３２ｃ２とがピン部材により連結されてなる。
【００５１】
また、二股状部３３ｂの外周面であって貫通孔３３ｂ１より継手軸３３ａ側には、解除時係合部３３ｂ２とされる凹状の貫通されない係合孔が設けられている。この解除時係合部３３ｂ２は、後述のカバー部材３４における凸状の回動係合部３４ｃ（図６参照）が嵌脱自在に係合される。
【００５２】
二股状部３３ｂの二股の間の面３３ｂ３は、継手本体３２の平板状部３２ｃと連結した際、平板状部３２ｃの突端部３２ｃ３と対向する。そして、この二股状部３３ｂの二股の間の面３３ｂ３は、平板状部３２ｃの突端部３２ｃ３に倣って、平面視凹円弧状に形成されている。さらに、面３３ｂ３には、図７にも示されるように、段部として形成される当接部３３ｂ４が設けられている。
【００５３】
これらの継手本体３２と回動部材３３とが連結されている状態を図７の断面図により説明する。図７に示す通り、パイプ２０３，７０３が展開されている状態においては、回動部材３３の当接部３３ｂ４と、継手本体３２における平板状部３２ｃの回動規制突起３２ｃ４は当接している。従って、パイプ２０３，７０３は、この展開状態から、貫通孔３２ｃ２（貫通孔３３ｂ１）に通したピン部材を中心とした反時計回りの回動は規制されている。そして、パイプ２０３は、カバー部材３４を回動操作して屈折状態とされる場合には、図７において時計回りに回動し、カバー部材３４が円環部３２ａ３と当接するまで回動される。同様に、パイプ７０３においても、屈折状態とされる場合には時計回りに回動し、屈折された回動部材３３が継手本体３２の円環部３２ａ３と当接するまで回動する。このようにして、パイプ２０３，７０３は約９０度の角度範囲で一方向に屈折可能とされている。
【００５４】
図５に戻り、回動部材３３の二股状部３３ｂの基端部には、軸心回りの周方向に断面凹溝状のガイド溝３３ｂ５が形成されている。このガイド溝３３ｂ５には、後述のカバー部材３４の突起部３４ｂ（図６参照）が摺動自在に係合される。そして、二股状部３３ｂの基端部には、ガイド溝３３ｂ５と直交するように回動規制部３３ｂ６が形成されている。回動規制部３３ｂ６は、図５（ａ），（ｂ）に示すように対向して２箇所に形成されている。
【００５５】
回動規制部３３ｂ６の継手軸３３ａ側の端部における周方向の一方側の側面は、ガイド溝３３ｂ５を構成する周壁３３ｂ７と接続されている。回動規制部３３ｂ６の継手軸３３ａ側の端部における周方向の他方側の側面は、周壁３３ｂ７が切り欠かれるようにして開放部３３ｂ８が形成されている。開放部３３ｂ８も対向して２箇所に形成されている。カバー部材３４を回動部材３３に組み付ける際には、カバー部材３４の２箇所の突起部３４ｂをこの２箇所の開放部３３ｂ８にそれぞれ合わせて、挿入する。
【００５６】
回動部材３３に接続されるパイプ（２０３等）の軸方向の位置は、係止突起３３ａ２と係止孔１８０の係止により決められる。従って、周壁３３ｂ７の継手軸３３ａ側の面は、パイプ（２０３等）の端面と近接又は接触される。なお、ガイド溝３３ｂ５の他の構成としては、周壁３３ｂ７の代わりに、接続されるパイプ（２０３等）の端面と、二股状部３３ｂの外周面から落ち込む周状段部とでガイド溝を形成してもよい。この場合、カバー部材３４を回動部材３３に挿入してからパイプ（２０３等）を接続することにより、カバー部材３４を軸心回りに回動自在に設けることができる。従って、組み立ての際に、カバー部材３４の突起部３４ｂと開放部３３ｂ８との位置合わせが不要となる。
【００５７】
次に、カバー部材３４を図６（ａ）及び（ｂ）に基づいて説明する。カバー部材３４は、円筒形状に形成される。カバー部材３４は、外周壁に切り欠き形成される切欠部３４ａが設けられている。切欠部３４ａは、対向して二箇所に形成されている。切欠部３４ａと周方向に隣接する周壁部は、後述するが、屈折部３１の屈折を規制する規制壁部３４ｅとされる。
【００５８】
切欠部３４ａと同位相であるカバー部材３４の内周面には、周方向に所定長さを有する突起部３４ｂが対向して２箇所に形成されている。規制壁部３４ｅの内周面には、突起部３４ｂと位相を９０度ずらした角度に、凸状の回動係合部３４ｃが対向して２箇所に形成されている。そして、カバー部材３４の外周面には、軸方向に長い多数の凸状の滑り止め用突起３４ｄが形成されている。
【００５９】
このように形成されるカバー部材３４は、前述の通り、ガイド溝３３ｂ５に突起部３４ｂが摺動自在に係合される。従って、カバー部材３４は、カバー部材３４の軸心回りに回動自在であるとともにカバー部材３４の軸心方向への移動は規制されている。
【００６０】
一方、カバー部材３４の回動係合部３４ｃと係合される平板状部３２ｃの規制時係合部３２ｃ５と回動部材３３の解除時係合部３３ｂ２は、軸心回りに９０度の位相差で設けられている。従って、カバー部材３４は、軸心回りに９０度の角度範囲で回動操作されることで、その角度範囲の終端で回動係合部３４ｃと、規制時係合部３２ｃ５又は解除時係合部３２ｂ２が係合される。従って、操作者は、回動操作によりクリック感を知覚することができる。さらに、カバー部材３４の回動操作が９０度の角度範囲を超えて回りすぎないように、突起部３４ｂが回動規制部３３ｂ６に当接されて規制される。
【００６１】
屈折部３１のカバー部材３４による屈折規制状態と解除状態の切り替え及び屈折の動作は、以下のように行われる。カバー部材３４は、図２及び図７に示すように、切欠部３４ａが二股状部３３ｂに位置する場合には、パイプ２０３を屈折させようとしても、平板状部３２ｃの両側面がカバー部材３４の２箇所の規制壁部３４ｅと当接するので、屈折部３１におけるパイプ２０３の屈折は規制される。
【００６２】
そして、カバー部材３４を９０度回転させると、図８（ａ）に示す通り、切欠部３４ａが平板状部３２ｃの両側面に位置される。切欠部３４ａは、平板状部３２ｃの厚み程度の幅で切り欠かれているので、屈折部３１の屈折が解除され、図８（ｂ）及び図９に示す通り、パイプ２０３を屈折させることができる。
【００６３】
そして、図２及び図７で示す屈折部３１の屈折を規制する状態においては、カバー部材３４の回動係合部３４ｃは、平板状部３２ｃの規制時係合部３２ｃ５と係合される。一方、図８（ａ），（ｂ）及び図９で示す屈折部３１の屈折を解除する状態においては、カバー部材３４の回動係合部３４ｃは、二股状部３３ｂの解除時係合部３３ｂ２と係合される。このようにして、規制状態と解除状態とで、それぞれ回動係合部３４ｃが係合状態とされるので、何れかの状態に完全に切り替わったことが係合部の係合によるクリック感で知覚することができる。
【００６４】
また、上記のジャングルジム用継手３０Ｌの他、各立方体枠の頂部に配置される継手は、以下のように形成される。三方分岐のジャングルジム用継手（３０Ａ，Ｅ，Ｇ，Ｋ，Ｎ，Ｐ）は、相互に９０度の角度で三方に基部３２ｂから突出される固定の２個の継手軸３２ａ及び屈折可能な１個の継手軸３３ａの計３個の継手軸３２ａ，３３ａを有する。四方分岐のジャングルジム用継手（３０Ｂ，Ｆ，Ｈ，Ｑ）は、一平面内において相互に９０度の角度を有して基部３２ｂから突出する固定の３個の継手軸３２ａ及びこの３個の継手軸３２ａが形成する平面と垂直方向に基部３２ｂから突出する屈折可能な１個の継手軸３３ａを有する。四方分岐のジャングルジム用継手（３０Ｄ）は、９０度の角度を有して基部３２ｂから突出する固定の２個の継手軸３２ａ及びこの２個の継手軸３２ａが形成する平面と垂直方向に基部３２ｂから各々両側に突出する屈折可能な２個の継手軸３３ａを有する。五方分岐のジャングルジム用継手（３０Ｊ）は、一平面内において相互に９０度の角度を有して基部３２ｂから突出する固定の４個の継手軸３２ａ及びこの４個の継手軸３２ａが形成する平面と垂直方向に基部３２ｂから突出する屈折可能な１個の継手軸３３ａを有する。五方分岐のジャングルジム用継手（３０Ｃ，Ｍ）は、一平面内において相互に９０度の角度を有して基部３２ｂから突出する固定の３個の継手軸３２ａ及びこの３個の継手軸３２ａが形成する平面と垂直方向に基部３２ｂから各々両側に突出する屈折可能な計２個の継手軸３３ａを有する。
【００６５】
このようにして、継手本体３２の平板状部３２ｃと回動部材３３の二股状部３３ｂが屈折可能に連結される屈折部３１は、ジャングルジム用継手（３０Ａ等）が接続されるｘ軸方向のパイプ（２０３等）の全てに設けられている。一方、カバー部材３４は、ｚ軸方向に接続される立方体枠及び半立方体枠で形成される同じユニット内においては、少なくとも一か所の屈折部３１に設けておけばよい。
【００６６】
例えば、図１に示すように、ベース枠群１００と、ベース枠群１００とｚ軸方向上側に接続されるハーフ枠群２００と、ハーフ枠群２００における中央の半立方体枠とｚ軸方向上側に接続される上側ハーフ枠３００と、上側ハーフ枠３００とｚ軸方向上側に接続される立方体枠からなるトップ枠４００とで構成されるユニットにおいては、これらのうちの少なくとも一つの屈折部３１にカバー部材３４を設けておけば、当該ユニット全体の屈折部３１の屈折を規制したり解除したりすることができる。
【００６７】
ただし、ジャングルジム１０を安定的に使用するためには、少なくともハーフ枠群２００における中央の半立方体枠のｘ軸方向のパイプ（２０２，３０２，２０３，３０３）の両端で接続されるジャングルジム用継手３０Ｊ，３０Ｌにカバー部材３４を設けることが望ましい。垂直方向に立方体枠等が重ねられたユニットにおいては、中央部分の立方体枠等に使用時の荷重が多く掛かるからである。
【００６８】
なお、当該ユニットに付加的に接続される立方体枠である付加ベース枠６００の屈折部３１には、別途カバー部材３４を少なくとも一つ設ける必要がある。
【００６９】
次に、ジャングルジム１０の折り畳みの操作について説明する。先ず、図１の展開状態において、ジャングルジム１０におけるカバー部材３４を回動操作して、全て屈折解除状態とする。その後、ジャングルジム１０を折り畳むと、図１０に示す形態とすることができる。
【００７０】
すなわち、折り畳まれたジャングルジム１０は、展開状態（図１参照）で左隣に隣接する２つの立方体枠において対向するｙ軸方向のパイプ同士（例えば、パイプ２０６とパイプ２０８）の間に、ｘ軸方向のパイプ（例えば、パイプ２０２）がほぼ密接して配置されることとなる。そして、展開状態で直列的に配置されるｙ軸方向のパイプ（例えば、パイプ２０５とパイプ２０６，２０７）はその直列状態が維持されるとともに、ｘ軸方向のパイプ（例えば、パイプ２０１とパイプ２０２，２０３）は折り畳まれてｙ軸方向と平行に直列的に配置される。そうすると、折り畳まれた状態におけるジャングルジム１０のベース枠群１００の厚みは、最も厚い箇所でも３本のパイプ（例えば、ｘ軸方向のパイプ２０２及びｙ軸方向のパイプ２０６，２０８）がほぼ密接に並べられるのみとすることができる。
【００７１】
また、これらの屈折部３１は、すべて同一の方向に回動して屈折される。すなわち、図１１（ａ）、（ｂ）に示すように、ベース枠群１００やトップ枠４００における前側のジャングルジム用継手（３０Ｋ等）における屈折部３１が屈折して回転する方向（矢印Ｐ）と、後側のジャングルジム用継手（３０Ｎ等）における屈折部３１が屈折して回動する方向（矢印Ｑ）は、図１１（ａ），（ｂ）における上面視において同じ時計回りとされている。さらに、付加ベース枠６００におけるジャングルジム用継手（３０Ｋ等）における屈折部３１も、時計回りに回動して屈折される。
【００７２】
そして、ベース枠群１００の上方にハーフ枠群２００や上側ハーフ枠３００，トップ枠４００を設けてユニットを形成しても、図１１（ａ），（ｂ）に示す通り、当該ユニットにおいては３本分のパイプの厚みがあるのみとなる。さらに、付加ベース枠６００を設けたとしても、全てのパイプは厚み方向においては密接するので、最小限の厚みの折り畳み状態とすることができる。
【００７３】
また、例えばジャングルジム１０には、図１２に示すように、ステップ板８１，８２や滑り台８３や階段８４を設けることができる。ここで、ステップ板８１，８２は、ハーフ枠群２００における左端の半立方体枠の上面に設けられるステップ板８１と、付加ベース枠６００の上面に設けられるステップ板８２とされている。ステップ板８１は、ｘ軸方向のパイプ３０１，３０２及びｙ軸方向のパイプ３０５，３０８と係合するように載置される。同様に、ステップ板８２は、ｘ軸方向のパイプ７０３，７０４及びｙ軸方向のパイプ７０７，２０７と係合するように載置される。従って、このステップ板８１，８２を利用して、ジャングルジム１０におけるジャングルジム用継手（３０Ａ等）の屈折部３１の屈折を規制することもできる。
【００７４】
滑り台８３は、付加ベース枠６００のパイプ７０３に設けられている。しかしながら、この滑り台よりも長い滑り台を用意して、ハーフ枠群２００のパイプ３０５等と接続されるようにしてもよい。この場合には、滑り台で滑ることができる距離が図１２の滑り台８３より長くなるので、幼児の年齢や体力に合わせたジャングルジム１０とすることができる。
【００７５】
また、固定部材６０は平面部の装飾により幼児が楽しめるものである。この固定部材６０は、ｙ軸方向のパイプ（４０９等）とｚ軸方向のパイプ（４３６等）に固定されるので、ジャングルジム１０に取り付けたままでも折り畳むことができる。また、湾曲パイプ７０は、手すりとして利用できるので、低年齢の幼児でもジャングルジム１０を楽しめるようにするものである。この湾曲パイプ７０は、固定部材６０と同様に、ｙ−ｚ平面と平行に取り付けられるものであるので、これも取り付けたまま折り畳むことができる。
【００７６】
以上、本発明の実施形態を説明したが、本発明は本実施形態によって限定されることはなく、種々の形態で実施することができる。例えば、回動部材３３の二股状部３３ｂと継手本体３２の平板状部３２ｃの関係を逆にして、回動部材３３に平板状部を設けて継手本体３２に二股状部を設けてもよい。
【００７７】
また、カバー部材３４は、継手本体３２に設けるようにしてもよい。また、カバー部材３４の突起部３４ｂと回動部材３３のガイド溝３３ｂ５を入れ替えて、カバー部材３４にガイド溝を設けて回動部材３３に突起部を設けるようにしてもよい。同様に、凸状に形成したカバー部材３４の回動係合部３４ｃと凹状に形成した規制時係合部３２ｃ５及び解除時係合部３３ｂ２との凹凸関係を逆にして形成してもよい。また、本実施形態においては、回動部材３３の継手軸３３ａにパイプ（２０３等）が直接的に接続されているが、スペーサ等を介して間接的に接続するようにしてもよい。また、屈折部３１は、本実施形態においては９０度の角度範囲で回動自在に形成されるが、この角度範囲は任意に設定することができる。
【００７８】
さらに、屈折部３１が屈折される方向は、本実施形態においては、ｘ−ｙ平面に平行に屈折されるように形成したが、ｘ−ｚ平面に平行に屈折して、ジャングルジム１０全体を上下方向に折り畳めるようにしてもよい。ただし、この場合、ベース枠群１００の上方に立体格子枠を重ねる場合には、ベース枠群１００の立方体枠と同様の立方体枠とし、ハーフ枠群２００等と同じ立体格子枠は、ｙ軸方向に接続することができる。
【００７９】
また、ジャングルジム１０の構成としては、立方体枠及び半立方体枠の数及び接続する方向は、特に制限されることはない。
【符号の説明】
【００８０】
１０        ジャングルジム                ２０        ハーフ枠群
３０Ａ〜Ｈ  ジャングルジム用継手
３０Ｊ〜Ｎ  ジャングルジム用継手
３０Ｐ〜Ｑ  ジャングルジム用継手
３１        屈折部                        ３２        継手本体
３２ａ      継手軸                        ３２ａ１    切欠部
３２ａ２    係止突起                      ３２ａ３    円環部
３２ｂ      基部                          ３２ｂ２    解除時係合部
３２ｃ      平板状部                      ３２ｃ１    凹部
３２ｃ２    貫通孔                        ３２ｃ３    突端部
３２ｃ４    回動規制突起                  ３２ｃ５    規制時係合部
３３        回動部材                      ３３ａ      継手軸
３３ａ１    切欠部                        ３３ａ２    係止突起
３３ｂ      二股状部                      ３３ｂ１    貫通孔
３３ｂ２    解除時係合部                  ３３ｂ３    面
３３ｂ４    当接部                        ３３ｂ５    ガイド溝
３３ｂ６    回動規制部                    ３３ｂ７    周壁
３３ｂ８    開放部
３４        カバー部材                    ３４ａ      切欠部
３４ｂ      突起部                        ３４ｃ      回動係合部
３４ｄ      滑り止め用突起                ３４ｅ      規制壁部
６０        固定部材                      ６１        本体部
６２        上側係合部                    ６３        下側係合部
６４        左側係合部                    ６５        右側係合部
７０        湾曲パイプ                    ８１        ステップ板
８２        ステップ板                    ８３        滑り台
８４        階段
１００      ベース枠群
１０１〜１１０  パイプ
１３１〜１３８  パイプ
１８０      係止孔
２００      ハーフ枠群
２０１〜２１０  パイプ
２３１〜２３８  パイプ
３００      上側ハーフ枠
３０１〜３１０  パイプ
３３２，３３３，３３６，３３７  パイプ
４００      トップ枠
４０２，４０３，４０６，４０９  パイプ
４３２，４３３，４３６，４３７  パイプ
５０２，５０３，５０６，５０９  パイプ
６００      付加ベース枠
６０３，６０４，６０７  パイプ
６３３，６３４  パイプ
７０３，７０４，７０７  パイプ
【図１】
0006538370.tif 000002
【図２】
0006538370.tif 000003
【図３】
0006538370.tif 000004
【図４】
0006538370.tif 000005
【図５】
0006538370.tif 000006
【図６】
0006538370.tif 000007
【図７】
0006538370.tif 000008
【図８】
0006538370.tif 000009
【図９】
0006538370.tif 000010
【図１０】
0006538370.tif 000011
【図１１】
0006538370.tif 000012
【図１２】
0006538370.tif 000013